(57)【要約】  イベント活性化装置１０は、イベントに参加する複数の参加者４０それぞれを、複数のチームに分ける、チーム設定部１１と、イベントの開催中及び終了後において、複数の参加者４０それぞれの状況に基づいて、複数のチームそれぞれ毎に成績を算出する、成績算出部１２と、算出された複数のチームそれぞれ毎の成績を提示する、成績提示部１３と、を備えている。【選択図】図１
2019111361.tif 000002
【特許請求の範囲】
【請求項１】
個人競技で構成されたイベントの活性化を図るための装置であって、
前記イベントに参加する複数の参加者それぞれを、複数のチームに分ける、チーム設定部と、
前記イベントの開催中及び終了後において、前記複数の参加者それぞれの状況に基づいて、前記複数のチームそれぞれ毎に成績を算出する、成績算出部と、
算出された前記複数のチームそれぞれ毎の成績を提示する、成績提示部と、
を備えている、
ことを特徴とするイベント活性化装置。
【請求項２】
前記チーム設定部が、前記複数の参加者それぞれから取得した当該参加者の情報に基づいて、前記複数の参加者それぞれを複数のチームに分ける、
請求項１に記載のイベント活性化装置。
【請求項３】
前記チーム設定部が、前記イベントの開始後に、前記複数の参加者それぞれの状況に基づいて、前記複数の参加者それぞれを複数のチームに分ける、
請求項１に記載のイベント活性化装置。
【請求項４】
前記チーム設定部が、前記複数の参加者それぞれの服装の色を特定する情報を取得し、取得した情報から、前記複数の参加者それぞれの服装の色を特定し、特定した服装の色に基づいて、前記複数の参加者それぞれを複数のチームに分ける、
請求項１に記載のイベント活性化装置。
【請求項５】
前記成績算出部が、前記複数の参加者それぞれの運動能力及び前記個人競技での成績のうちいずれか又は両方を、前記参加者の状況として特定し、前記複数の参加者それぞれ毎に、特定した状況に基づいてスコアを算出し、更に、複数のチーム毎に、当該チームの成績として、当該チームに属する前記参加者の前記スコアの合計値を算出する、
請求項１〜４のいずれかに記載のイベント活性化装置。
【請求項６】
前記成績算出部が、前記イベントの開催中において前記参加者を撮影して得られた画像の画像データを取得し、
取得した前記画像データ中の画像と、前記複数の参加者それぞれ毎に予め登録されている当該参加者の画像とを比較し、そして、前記複数の参加者それぞれの状況として、前記複数の参加者それぞれ毎に、当該参加者の画像が、取得した前記画像データ中の画像と一致した回数を計測し、
更に、複数のチーム毎に、当該チームの成績として、当該チームに属する前記参加者の前記一致した回数の合計値を算出する、
請求項１〜４のいずれかに記載のイベント活性化装置。
【請求項７】
前記成績算出部が、前記複数の参加者それぞれによって、前記イベントの開催中に、撮影して得られた画像データを取得し、
取得した前記画像データ中の画像と、予め設定された対象の画像とを比較し、そして、前記複数の参加者それぞれの状況として、前記複数の参加者それぞれ毎に、当該参加者による撮影によって得られた前記画像データの画像が前記対象の画像と一致した回数を計測し、
更に、複数のチーム毎に、当該チームの成績として、当該チームに属する前記参加者の前記一致した回数の合計値を算出する、
請求項１〜４のいずれかに記載のイベント活性化装置。
【請求項８】
個人競技で構成されたイベントの活性化を図るための方法であって、
（ａ）前記イベントに参加する複数の参加者それぞれを、複数のチームに分ける、ステップと、
（ｂ）前記イベントの開催中及び終了後において、前記複数の参加者それぞれの状況に基づいて、前記複数のチームそれぞれ毎に成績を算出する、ステップと、
（ｃ）算出された前記複数のチームそれぞれ毎の成績を提示する、ステップと、
を有する、ことを特徴とするイベント活性化方法。
【請求項９】
前記（ａ）のステップにおいて、前記複数の参加者それぞれから取得した当該参加者の情報に基づいて、前記複数の参加者それぞれを複数のチームに分ける、
請求項８に記載のイベント活性化方法。
【請求項１０】
前記（ａ）のステップにおいて、前記イベントの開始後に、前記複数の参加者それぞれの状況に基づいて、前記複数の参加者それぞれを複数のチームに分ける、
請求項８に記載のイベント活性化方法。
【請求項１１】
前記（ａ）のステップにおいて、前記複数の参加者それぞれの服装の色を特定する情報を取得し、取得した情報から、前記複数の参加者それぞれの服装の色を特定し、特定した服装の入りに基づいて、前記複数の参加者それぞれを複数のチームに分ける、
請求項８に記載のイベント活性化方法。
【請求項１２】
前記（ｂ）のステップにおいて、前記複数の参加者それぞれの運動能力及び前記個人競技での成績のうちいずれか又は両方を、前記参加者の状況として特定し、前記複数の参加者それぞれ毎に、特定した状況に基づいてスコアを算出し、更に、複数のチーム毎に、当該チームの成績として、当該チームに属する前記参加者の前記スコアの合計値を算出する、
請求項８〜１１のいずれかに記載のイベント活性化方法。
【請求項１３】
前記（ｂ）のステップにおいて、前記イベントの開催中において前記参加者を撮影して得られた画像の画像データを取得し、
取得した前記画像データ中の画像と、前記複数の参加者それぞれ毎に予め登録されている当該参加者の画像とを比較し、そして、前記複数の参加者それぞれの状況として、前記複数の参加者それぞれ毎に、当該参加者の画像が、取得した前記画像データ中の画像と一致した回数を計測し、
更に、複数のチーム毎に、当該チームの成績として、当該チームに属する前記参加者の前記一致した回数の合計値を算出する、
請求項８〜１１のいずれかに記載のイベント活性化方法。
【請求項１４】
前記（ｂ）のステップにおいて、前記複数の参加者それぞれによって、前記イベントの開催中に、撮影して得られた画像の画像データを取得し、
取得した前記画像データ中の画像と、予め設定された対象の画像とを比較し、そして、前記複数の参加者それぞれの状況として、前記複数の参加者それぞれ毎に、当該参加者による撮影によって得られた前記画像データの画像が前記対象の画像と一致した回数を計測し、
更に、複数のチーム毎に、当該チームの成績として、当該チームに属する前記参加者の前記一致した回数の合計値を算出する、
請求項８〜１１のいずれかに記載のイベント活性化方法。
【請求項１５】
コンピュータに、個人競技で構成されたイベントの活性化を図るための、プログラムを記録したコンピュータ読み取り可能な記録媒体であって、
（ａ）前記イベントに参加する複数の参加者それぞれを、複数のチームに分ける、ステップと、
（ｂ）前記イベントの開催中及び終了後において、前記複数の参加者それぞれの状況に基づいて、前記複数のチームそれぞれ毎に成績を算出する、ステップと、
（ｃ）算出された前記複数のチームそれぞれ毎の成績を提示する、ステップと、
を実行させる命令を含む、プログラムを記録しているコンピュータ読み取り可能な記録媒体。
【請求項１６】
前記（ａ）のステップにおいて、前記複数の参加者それぞれから取得した当該参加者の情報に基づいて、前記複数の参加者それぞれを複数のチームに分ける、
請求項１５に記載のコンピュータ読み取り可能な記録媒体。
【請求項１７】
前記（ａ）のステップにおいて、前記イベントの開始後に、前記複数の参加者それぞれの状況に基づいて、前記複数の参加者それぞれを複数のチームに分ける、
請求項１５に記載のコンピュータ読み取り可能な記録媒体。
【請求項１８】
前記（ａ）のステップにおいて、前記複数の参加者それぞれの服装の色を特定する情報を取得し、取得した情報から、前記複数の参加者それぞれの服装の色を特定し、特定した服装の色に基づいて、前記複数の参加者それぞれを複数のチームに分ける、
請求項１５に記載のコンピュータ読み取り可能な記録媒体。
【請求項１９】
前記（ｂ）のステップにおいて、前記複数の参加者それぞれの運動能力及び前記個人競技での成績のうちいずれか又は両方を、前記参加者の状況として特定し、前記複数の参加者それぞれ毎に、特定した状況に基づいてスコアを算出し、更に、複数のチーム毎に、当該チームの成績として、当該チームに属する前記参加者の前記スコアの合計値を算出する、
請求項１５〜１８のいずれかに記載のコンピュータ読み取り可能な記録媒体。
【請求項２０】
前記（ｂ）のステップにおいて、前記イベントの開催中において前記参加者を撮影して得られた画像の画像データを取得し、
取得した前記画像データ中の画像と、前記複数の参加者それぞれ毎に予め登録されている当該参加者の画像とを比較し、そして、前記複数の参加者それぞれの状況として、前記複数の参加者それぞれ毎に、当該参加者の画像が、取得した前記画像データ中の画像と一致した回数を計測し、
更に、複数のチーム毎に、当該チームの成績として、当該チームに属する前記参加者の前記一致した回数の合計値を算出する、
請求項１５〜１８のいずれかに記載のコンピュータ読み取り可能な記録媒体。
【請求項２１】
前記（ｂ）のステップにおいて、前記複数の参加者それぞれによって、前記イベントの開催中に、撮像して得られた画像の画像データを取得し、
取得した前記画像データ中の画像と、予め設定された対象の画像とを比較し、そして、前記複数の参加者それぞれの状況として、前記複数の参加者それぞれ毎に、当該参加者による撮影によって得られた前記画像データの画像が前記対象の画像と一致した回数を計測し、
更に、複数のチーム毎に、当該チームの成績として、当該チームに属する前記参加者の前記一致した回数の合計値を算出する、
請求項１５〜１８のいずれかに記載のコンピュータ読み取り可能な記録媒体。 
【発明の詳細な説明】
【技術分野】
【０００１】
本発明は、イベント活性化装置及びイベント活性化方法に関し、更には、これらを実現するためのプログラムを記録したコンピュータ読み取り可能な記録媒体に関する。
【背景技術】
【０００２】
２００７年２月の東京マラソンの開催をきっかけに、全国的にランニングブームをもたらし、マラソン大会が地域活性化の施策として注目を集め、マラソン開催が増え続けている。【０００３】
マラソン開催の増加に伴い、各大会では、参加者の満足度をあげ、集客、及び大会評価を高めるために、特色ある大会づくりが重要となっている。特色ある大会づくりとして、ストレスフリーな運営、エイドなどのおもてなし向上、又は地域ぐるみの応援動員が主流となっている。【０００４】
例えば、非特許文献１は、模擬団体戦を行うことで、イベントを盛り上げる方法を開示している。具体的には、大阪マラソンの取り組みで、ランナーが複数の団体の中から寄付先団体を事前登録し、事前登録した寄付先団体に基づいてランナーを７つにチーム分けして、各チームの完走者全員の平均タイムを競うことで、模擬対抗戦を実施している。大会終了後、完走者全員の平均タイム、及び各寄付先団体に集まった寄付金の結果発表がされることで、ランナーに連帯感を持たせている。
【先行技術文献】
【非特許文献】
【０００５】
【非特許文献１】“なないろチーム対抗戦｜ランナーで参加｜第7回大阪マラソン”，［online］，一般財団法人  大阪陸上競技協会，［平成29年6月20日検索］，インターネット＜URL：http://www.osaka-marathon.com/2017/runner/competition/＞
【発明の概要】
【発明が解決しようとする課題】
【０００６】
しかしながら、非特許文献１で開示された方法では、大会終了後にならないと模擬対抗戦の結果が分からないため、リアルタイムで競技中の状況を確認することができず、競技中における連帯感及び責任感を保つことが難しくなり、競技の盛り上がりに欠けるという問題がある。【０００７】
本発明の目的の一例は、上記問題を解消し、個人競技のイベントにおいて、各参加者にチームとしての連帯感及び責任感を保たせて、イベントの活性化を図り得る、イベント活性化装置、イベント活性化方法、及びコンピュータ読み取り可能な記録媒体を提供することにある。
【課題を解決するための手段】
【０００８】
上記目的を達成するため、本発明の一側面におけるイベント活性化装置は、
個人競技で構成されたイベントの活性化を図るための装置であって、
前記イベントに参加する複数の参加者それぞれを、複数のチームに分ける、チーム設定部と、
前記イベントの開催中及び終了後において、前記複数の参加者それぞれの状況に基づいて、前記複数のチームそれぞれ毎に成績を算出する、成績算出部と、
算出された前記複数のチームそれぞれ毎の成績を提示する、成績提示部と、
を備えている、
ことを特徴とするイベント活性化装置。【０００９】
また、上記目的を達成するため、本発明の一側面における映像符号化方法は、
個人競技で構成されたイベントの活性化を図るための方法であって、
（ａ）前記イベントに参加する複数の参加者それぞれを、複数のチームに分ける、ステップと、
（ｂ）前記イベントの開催中及び終了後において、前記複数の参加者それぞれの状況に基づいて、前記複数のチームそれぞれ毎に成績を算出する、ステップと、
（ｃ）算出された前記複数のチームそれぞれ毎の成績を提示する、ステップと、
を有する、ことを特徴とする。【００１０】
更に、上記目的を達成するため、本発明の一側面におけるコンピュータ読み取り可能な記録媒体は、コンピュータによって、
個人競技で構成されたイベントの活性化を図るためのプログラムであって、
（ａ）前記イベントに参加する複数の参加者それぞれを、複数のチームに分ける、ステップと、
（ｂ）前記イベントの開催中及び終了後において、前記複数の参加者それぞれの状況に基づいて、前記複数のチームそれぞれ毎に成績を算出する、ステップと、
（ｃ）算出された前記複数のチームそれぞれ毎の成績を提示する、ステップと、
を実行させる命令を含む、プログラムを記録していることを特徴とする。
【発明の効果】
【００１１】
以上のように本発明によれば、個人競技のイベントにおいて、各参加者にチームとしての連帯感及び責任感を保たせて、イベントの活性化を図ることができる。
【図面の簡単な説明】
【００１２】
【図１】図１は、本発明の実施の形態におけるイベント活性化装置の概略構成を示すブロック図である。
【図２】図２は、本発明の実施の形態において対象となるイベントの一例を示す図である。
【図３】図３は、本発明の実施の形態におけるイベント活性化装置の具体的構成を示すブロック図である。
【図４】図４は、本発明の実施の形態におけるイベント活性化装置のチーム設定時における動作を示すフロー図である。
【図５】図５は、本発明の実施の形態におけるイベント活性化装置の成績算出時における動作を示すフロー図である。
【図６】図６は、本発明の実施の形態の変形例１におけるイベント活性化装置のチーム設定時の動作を示すフロー図である。
【図７】図７は、本発明の実施の形態におけるイベント活性化装置の変形例２の構成を示すブロック図である。
【図８】図８は、本発明の実施の形態におけるイベント活性化装置を実現するコンピュータの一例を示すブロック図である。
【発明を実施するための形態】
【００１３】
（実施の形態）
以下、本発明の実施の形態における、イベント活性化装置、イベント活性化方法、及びプログラムについて、図１〜図４を参照しながら説明する。
【００１４】
［装置構成］
最初に、図１を用いて本実施の形態におけるイベント活性化装置の構成について説明する。図１は、本発明の実施の形態におけるイベント活性化装置の概略構成を示すブロック図である。
【００１５】
図１に示すように、本実施の形態におけるイベント活性化装置１０は、個人競技で構成されたイベントの活性化を図るための装置である。図１に示すように、イベント活性化装置１０は、チーム設定部１１と、成績算出部１２と、成績提示部１３とを備えている。
【００１６】
チーム設定部１１は、イベントに参加する複数の参加者それぞれを、複数のチームに分ける。成績算出部１２は、イベントの開催中及び終了後において、複数の参加者それぞれの状況に基づいて、複数のチームそれぞれ毎に成績を算出する。成績提示部１３は、算出された複数のチームそれぞれ毎の成績を提示する。
【００１７】
このように、本実施の形態では、イベント活性化装置１０は、本来チームに属していない個人競技の各参加者を複数のチームに分けて、各参加者にチームとしての連帯感及び責任感を与える。また、イベント活性化装置１０は、イベントの終了後だけでなく開催中においても各チームの成績をリアルタイムで各参加者に提示して、各参加者においてチームとしての連帯感及び責任感が保たれるようにしている。このため、本実施の形態によれば、個人競技のイベントにおいて、各参加者にチームとしての連帯感及び責任感を保たせて、イベントを活性化することができる。
【００１８】
続いて、図２及び図３を用いて、本実施の形態におけるイベント活性化装置１０の構成をより具体的に説明をする。図２は、本発明の実施の形態において対象となるイベントの一例を示す図である。図３は、本発明の実施の形態におけるイベント活性化装置の具体的構成を示すブロック図である。
【００１９】
まず、本実施の形態において、活性化の対象となるイベントとしては、図２に示すように、マラソン大会が挙げられる。以下においては、イベントがマラソン大会である場合について説明する。図２の例では、各参加者４０は、各々、スタート地点からゴールへと向かうが、各参加者４０は、イベント活性化装置１０によって複数のチームに分けられ、チームによる対抗戦も行うことになる。
【００２０】
また、図２に示すように、イベントに参加している各参加者４０には、ＩＣチップ２２が配布され、各参加者４０はＩＣチップ２２を身につけた状態でイベントに参加する。ＩＣチップ２２は、参加者の識別情報を格納しており、後述する成績算出部１２による成績の算出に用いられる。
【００２１】
また、図３に示すように、本実施の形態においては、イベント活性化装置１０は、有線又は無線によって、検出装置２０及びディスプレイ３０に接続されている。
【００２２】
このうち、検出装置２０は、マラソンコース上のチェックポイント毎に複数設置されている。各検出装置２０は、チェックポイントを参加者が通過すると、参加者４０が身につけているＩＣチップ２２から、参加者の識別情報を読み取り、読み取った識別情報と、読み取った時点の時刻を示す時刻情報とをイベント活性化装置１０に送信する。
【００２３】
具体的には、検出装置２０は、ＲＦＩＤ（Radio Frequency IDentification）技術を用いて、ＩＣチップ２２から識別情報を読み取ることができる。この場合、ＩＣチップ２２としては、ＲＦタグが用いられる。
【００２４】
また、この場合、検出装置２０には、有線又は無線によって接続された、読み取り用のＲＦＩＤアンテナが備えられる。図２の例では、ＲＦＩＤアンテナとして、シート状のアンテナ２１が用いられている。このため、図２の例では、参加者４０がアンテナ２１の上を通過する度に、検出装置２０は、参加者４０の識別情報を読み取ることができる。
【００２５】
ディスプレイ３０も、マラソンコース上のチェックポイント毎に設置されている。ディスプレイ３０は、成績算出部１２によって算出された各チームの成績、各種メッセージを画面上に提示する。なお、ディスプレイ３０と検出装置２０とは、共に同じ場所に設置されていても良いし、互いに別々に設置されていても良い。
【００２６】
また、本実施の形態では、チーム設定部１１は、まず、事前に登録されている自己申告情報１４を取得する。自己申告情報１４は、各参加者４０によって申告された情報である。自己申告情報１４としては、例えば、各参加者４０の居住地、好きなスポーツチーム、過去のマラソンにおけるタイム（以下、「申告タイム」と表記する。）、マラソン歴、又は個人情報（年齢、居住地、性別等）が挙げられる。また、図３の例では、自己申告情報１４は、イベント活性化装置１０によって保持されているが、イベント活性化装置１０以外の装置によって保持されていても良い。
【００２７】
次いで、チーム設定部１１は、取得した自己申告情報１４に基づいて、イベントに参加する各参加者４０を複数のチームに分けて、複数のチームを設定する。具体的には、チーム設定部１１は、例えば、個人情報から得られる居住地毎、趣味毎、又は好きなスポーツチーム毎に、各参加者４０を複数のチームに分ける。
【００２８】
また、チーム設定部１１は、各参加者４０の申告タイムに基づき、各チームにおける申告タイムの平均値が揃うように、各参加者４０を複数のチームに分けることもできる。同様に、チーム設定部１１は、各参加者４０のマラソン歴に基づき、各チームにおけるマラソン歴の平均値が揃うように、各参加者４０を複数のチームに分けることもできる。
【００２９】
更に、チーム設定部１１は、チーム分けの結果を、ディスプレイ３０の画面に表示することによって、各参加者４０に通知する。また、各参加者４０がスマートフォン又はウェアラブル端末等を有する場合は、チーム設定部１１は、チーム分けの結果をこれらの機器に通知しても良い。
【００３０】
また、チーム設定部１１は、イベントの開始前にチーム分けを行っても良いし、イベントの開始後にチーム分けを行っても良い。後者の場合は、チーム設定部１１は、例えば、各参加者４０の状況に基づいて、参加者を複数のチームに分けることができる。ここで、各参加者４０の状況としては、例えば、後述する成績算出部１２によって算出される、特定のチェックポイントでの、各参加者４０の通過タイム又は通過順位等が挙げられる。更に、チーム設定部１１は、イベントの開始前に設定した各チームのメンバーを、イベントの開始後に入れ替えて、新たにチーム分けを行っても良い。
【００３１】
成績算出部１２は、本実施の形態では、イベントの開催中に、チェックポイント毎に検出装置２０から送信されてくる、各参加者４０の識別情報及び時刻情報を取得する。また、成績算出部１２は、取得した識別情報及び時刻情報に基づいて、各参加者４０の状況として、特定のチェックポイントにおける通過タイムを特定する。そして、成績算出部１２は、チーム毎に、各参加者４０の通過タイムに基づいて、そのチェックポイントにおけるチームの平均通過タイムを算出し、平均通過タイムが速い順に、現在の各チームの順位を算出する。
【００３２】
また、成績算出部１２は、参加者４０毎に、通過したチェックポイントを特定し、特定した各チェックポイントのスタート地点からの距離を積算して、走行距離を算出することもできる。この場合、各参加者４０の走行距離が、各参加者４０の状況となる。また、この場合、成績算出部１２は、チーム毎に、チームを構成する参加者４０の走行距離を合算し、得られた各チームの合算値から、現在の各チームの順位を算出することもできる。
【００３３】
更に、成績算出部１２は、イベントが終了しているかどうかを判定し、イベントが終了している場合は、チーム毎に最終の成績を算出する。例えば、チェックポイントと同様に、ゴール地点にも、アンテナ２１と検出装置２０とが設置されている場合は、成績算出部１２は、ゴールした順に各参加者４０のゴール時のタイムを算出する。そして、成績算出部１２は、棄権者を除く全員がゴールすると、イベントが終了したと判定し、各チームの最終の成績として、各チームの平均タイムを算出する。
【００３４】
また、イベントの終了後に、イベントの運営者によって、イベントの終了が指示され、各参加者４０のタイムが入力される場合は、成績算出部１２は、イベントの終了の指示によって、イベントが終了したと判定する。そして、成績算出部１２は、入力された各参加者４０のタイムから、各チームの最終の成績として、各チームの平均タイムを算出する。
【００３５】
成績提示部１３は、本実施の形態では、成績算出部１２によって算出された各チームの順位を、イベントの開催中及び終了後において各ディスプレイ３０に提示する。これにより、各参加者４０は、自身が属しているチームの現在の状況を把握できるため、よりいっそうやる気を高めて競技を行うことができ、イベントが活性化されることになる。
【００３６】
また、成績提示部１３は、各ディスプレイ３０に、各チームの順位以外の情報を提示することもできる。例えば、成績提示部１３は、順位が下位のチームに属する参加者に対して応援メッセージを提示する。また、成績提示部１３は、順位が上位のチームに属する参加者に対しては、油断しない旨を伝えるメッセージを提示する。
【００３７】
［装置動作］
次に、本発明の実施の形態におけるイベント活性化装置１０の動作について図４及び図５を用いて説明する。以下の説明においては、適宜図１〜図３を参照する。また、本実施の形態では、イベント活性化装置１０を動作させることによって、イベント活性化方法が実施される。よって、本実施の形態におけるイベント活性化方法の説明は、以下のイベント活性化装置１０の動作説明に代える。
【００３８】
最初に、図４を用いて、イベント活性化装置のチーム設定時における動作について説明する。図４は、本発明の実施の形態におけるイベント活性化装置のチーム設定時における動作を示すフロー図である。
【００３９】
図４に示すように、最初に、イベント活性化装置１０に対して外部からチーム分けが指示されると、チーム設定部１１は、自己申告情報１４を取得する（ステップＡ１）。
【００４０】
次に、チーム設定部１１は、ステップＡ１で取得した自己申告情報１４に基づいて、イベントに参加する各参加者４０を複数のチームに分けて、複数のチームを設定する（ステップＡ２）。具体的には、チーム設定部１１は、各参加者４０の居住地、好きなスポーツチーム、申告タイム、マラソン歴、又は個人情報等に基づいて、各参加者４０を複数のチームに分けて、複数のチームに設定する。
【００４１】
次に、チーム設定部１１は、各参加者４０に、ステップＡ２におけるチーム設定の結果を、通知する（ステップＡ３）。具体的には、チーム設定部１１は、各参加者４０に、各ディスプレイ３０を介して、チーム設定の結果を通知しても良いし、各参加者４０がスマートフォン又はウェアラブル端末等を有する場合は、これらの機器に、チーム設定の結果を送信しても良い。
【００４２】
続いて、図５を用いて、イベント活性化装置の成績算出時における動作について説明する。図５は、本発明の実施の形態におけるイベント活性化装置の成績算出時における動作を示すフロー図である。
【００４３】
図５に示すように、最初に、成績算出部１２は、イベントの開始を検知する（ステップＢ１）。具体的には、成績算出部１２は、外部からイベントの開始が指示されたときは、これによって、また、イベントの開始時刻が設定されている場合は、開始時刻の到来によって、イベントの開始を検知する。
【００４４】
次に、成績算出部１２は、イベントの開催中に、参加者４０毎に成績を算出する（ステップＢ２）。続いて、成績算出部１２は、ステップＢ２で算出した個人の成績に基づいて、チーム毎に成績を算出する（ステップＢ３）。
【００４５】
具体的には、成績算出部１２は、イベントの開催中に、チェックポイント毎に検出装置２０から送信されてくる、各参加者４０の識別情報及び時刻情報に基づいて、参加者４０の成績（通過タイム、走行距離等）を算出する。そして、成績算出部１２は、各参加者４０の成績に基づいて、各チームのイベントの開催中の成績を算出する。
【００４６】
次に、成績提示部１３は、ステップＢ３で算出したチーム毎の成績を、ディスプレイ３０に提示する（ステップＢ４）。
【００４７】
次に、成績算出部１２は、イベントが終了しているかどうかを判定する（ステップＢ５）。ステップＢ５の判定の結果、イベントが終了していない場合は、成績算出部１２は、再度ステップＢ２を実行する。
【００４８】
一方、ステップＢ５の判定の結果、イベントが終了している場合は、成績算出部１２は、チーム毎に最終の成績を算出する（ステップＢ６）。その後、成績提示部１３は、チーム毎の最終の成績も、ディスプレイ３０に提示する（ステップＢ７）。ステップＢ７の実行後、イベント活性化装置１０における処理は終了する。
【００４９】
［実施の形態における効果］
以上のように、本実施の形態では、イベントは個人競技であるにも拘わらず、各参加者は、チーム対抗戦のように、チームにおける連帯感及び責任感を持つことができる。また、イベントの開催中において、各チェックポイントでは、参加者４０に対して、チーム毎の成績が提示されるので、各参加者の連帯感及び責任感はイベント終了時まで保たれることとなる。また、競技の終了後は、チームの最終成績も提示されるので、各参加者は、チームメイトと共に、盛り上げあることができる。この結果、本実施の形態によれば、個人競技で構成されたイベントの活性化が図られることとなる。
【００５０】
［プログラム］
本発明の実施の形態におけるプログラムは、コンピュータに、図４に示すステップＡ１〜Ａ３、及び図５に示すステップＢ１〜Ｂ７を実行させるプログラムであれば良い。このプログラムをコンピュータにインストールし、実行することによって、本実施の形態におけるイベント活性化装置１０とイベント活性化方法とを実現することができる。この場合、コンピュータのプロセッサは、チーム設定部１１、成績算出部１２、及び成績提示部１３として機能し、処理を行う。
【００５１】
また、本実施の形態におけるプログラムは、複数のコンピュータによって構築されたコンピュータシステムによって実行されても良い。この場合は、例えば、各コンピュータが、それぞれ、チーム設定部１１、成績算出部１２、及び成績提示部１３のいずれかとして機能しても良い。
【００５２】
［変形例１］
続いて、本実施の形態における変形例１について説明する。本変形例１では、チーム設定部１１における処理が、異なっている。
【００５３】
本変形例１では、チーム設定部１１は、まず、複数の参加者それぞれの服装の色を特定する情報（以下「服装情報」と表記する。）を取得する。次いで、チーム設定部１１は、服装情報に基づいて、各参加者４０の服装の色を特定し、特定した服装の色に基づいて、各参加者４０を複数のチーム分ける。
【００５４】
また、服装情報としては、各参加者の画像の画像データ、予め各参加者４０の服装の色が登録されているテーブルのデータ等が挙げられる。前者の場合は、チーム設定部１１は、画像処理によって、参加者の服装の色を特定する。
【００５５】
ここで、図６を用いて、本変形例１におけるイベント活性化装置のチーム設定時における動作について説明する。図６は、本発明の実施の形態の変形例１におけるイベント活性化装置のチーム設定時の動作を示すフロー図である。
【００５６】
図６に示すように、最初に、チーム設定部１１は、服装情報として、各参加者の画像の画像データを取得する（ステップＣ１）。
【００５７】
次に、チーム設定部１１は、参加者４０毎に、ステップＣ１で取得した画像データに対して画像処理を行って、各参加者４０の着ている服装の色を特定する（ステップＣ２）。具体的には、チーム設定部１１は、各参加者の画像の画像データから、各参加者４０の着ている服装のビブス以外の部分の特徴量を抽出し、抽出した特徴量から色を特定する。
【００５８】
次に、チーム設定部１１は、ステップＣ２で特定した色に基づいて、イベントに参加する各参加者４０をチームに分けて、複数のチームを設定する（ステップＣ３）。具体的には、チーム設定部１１は、服装の色が同系色の参加者が同じチームになるようにチーム分けを行う。
【００５９】
次に、チーム設定部１１は、各参加者４０に、ステップＣ３におけるチーム設定の結果を、通知する（ステップＣ４）。ステップＣ４は、図４に示したステップＡ３と同様のステップである。
【００６０】
このように本変形例１では、図５に示した複数のチームに分ける例と異なり、服装の色に基づいて、複数のチームに分けることができる。このため、本変形例１では、服装の色毎にチーム分けが行われるので、各参加者４０は、競技中に同じチームに所属する参加者を識別できるので、いっそう連帯感を持つことができる。
【００６１】
［変形例２］
次に、本実施の形態における変形例２について説明する。本変形例２では、各参加者４０の状況の取得方法が、異なっている。以下、図７を用いて相違点について説明する。図７は、本発明の実施の形態におけるイベント活性化装置の変形例２の構成を示すブロック図である。
【００６２】
図７に示すように、本変形例２では、各参加者４０は、情報端末５０を持って、イベントに参加している。情報端末５０は、ネットワーク６０を介して、イベント活性化装置１０とデータ通信可能に接続されている。このため、イベント活性化装置１０において、成績算出部１２は、各参加者４０の情報端末５０から送信されてくる位置情報に基づいて、各参加者の状況を特定する。情報端末５０としては、例えば、スマートフォン又はウェアラブル端末等が挙げられる。
【００６３】
また、このため、本変形例２では、成績算出部１２は、設定された時間間隔で、情報端末５０から、その位置情報を取得し、取得した位置情報に基づいて、その時の各参加者４０の順位を求め、求めた各参加者４０の順位からチーム毎の成績を算出する。
【００６４】
このように、本変形例２によれば、イベントの開催者は、チェックポイント毎に、検出装置２０を配置する必要がないため、イベントの開催にかかるコストの低減を図ることができる。
【００６５】
［変形例３］
次に、本実施の形態における変形例３について説明する。本変形例３では、成績算出部１２は、複数の参加者４０それぞれの運動能力及び個人競技での成績のうちいずれか又は両方を、参加者の状況として特定する。また、成績算出部１２は、複数の参加者４０それぞれ毎に、特定した状況に基づいてスコアを算出し、更に、複数のチーム毎に、そのチームの成績として、そのチームに属する参加者のスコアの合計値を算出する。
【００６６】
具体的には、運動能力としては、チェックポイント間のタイム、平均速度が挙げられる。また、上述の変形例２のように参加者４０が、情報端末を所持しており、その情報端末によって参加者４０の心拍数が測定されている場合は、運動能力としては、測定された心拍数も挙げられる。
【００６７】
そして、成績算出部１２は、特定した運動能力を、予め決められたルールに適用して、各参加者４０のスコアを算出する。この場合のルールとしては、タイムが短いほど高スコアを付与するルール、平均速度が高いほど高スコアを付与するルール、心拍数の平均値が低いほど高スコアを付与するルールが挙げられる。
【００６８】
また、成績算出部１２は、上述したように、通過タイム又は走行距離といった個人競技での成績を算出した場合においても、算出した成績に基づいて、各参加者４０のスコアを算出することもできる。更に、成績算出部１２は、参加者の運動能力と個人競技での成績との両方を特定し、両者に基づいて、各参加者４０のスコアを算出することもできる。これらの場合も、成績算出部１２は、チーム毎に、そのチームの成績として、そのチームに属する参加者のスコアの合計値を算出する。
【００６９】
［変形例４］
次に、本実施の形態における変形例４について説明する。本変形例４では、成績算出部１２は、図５に示したステップＢ２の代わりに、以下の処理を実行する。具体的には、成績算出部１２は、まず、イベントの開催中において参加者４０を撮影して得られた画像の画像データを取得する。次いで、成績算出部１２は、取得した画像データ中の画像と、複数の参加者それぞれ毎に予め登録されている参加者の画像とを比較する。更に、成績算出部１２は、比較結果から、各参加者４０の状況として、参加者４０毎に、参加者の画像が、取得した画像データ中の画像（以下「取得画像」と表記する）と一致した回数を計測する。そして、成績算出部１２は、ステップＢ３において、チーム毎に、チームの成績として、チームに属する参加者の画像が取得画像と一致した回数の合計値を算出する。
【００７０】
また、本変形例４において、参加者４０の画像は、イベントの観客によって撮影される。観客は、デジタルカメラ、スマートフォン等によって撮影した画像の画像データを、イベント活性化装置１０へと送信する。また、画像データの送信は、例えば、イベント活性化装置１０に接続されたＷｅｂサーバが提供しているＷｅｂサイトに、観客が画像データをアップロードすることによって行われる。
【００７１】
このように、本変形例４では、参加者４０が、イベントの観客によって撮影されればされる程、チームの成績がアップすることから、参加者４０と観客との両方によってイベントが盛り上げることが期待できる。また、参加者４０は、できるだけ多く撮影されるように、仮装したり、変装をしたりすることになるので、この点からもイベントの盛り上がりが期待できる。
【００７２】
［変形例５］
次に、本実施の形態における変形例５について説明する。本変形例５では、成績算出部１２は、図５に示したステップＢ２の代わりに、以下の処理を実行する。まず、本変形例５では、成績算出部１２は、まず、各参加者４０によって、イベントの開催中に、撮影して得られた画像の画像データを取得する。
【００７３】
具体的には、本変形例５では、参加者４０は、撮影装置、例えば、カメラ付のスマートフォン、デジタルカメラ等を持ってイベントに参加する。そして、参加者４０は、イベント中に撮影装置によって撮影を行い、それによって得られた画像の画像データを、イベント活性化装置１０へと送信する。成績算出部１２は、送信されてきた画像データを取得する。
【００７４】
また、画像データの送信は、変形例４と同様に、例えば、イベント活性化装置１０に接続されたＷｅｂサーバが提供しているＷｅｂサイトに、参加者４０が、画像データをアップロードすることによって行われる。
【００７５】
次に、成績算出部１２は、取得した画像データ中の画像と、予め設定された対象の画像とを比較する。予め設定された「対象」としては、例えば、特定の人物、商品、看板、建物、風景、建造物等が挙げられる。
【００７６】
更に、成績算出部１２は、比較結果から、各参加者４０の状況として、参加者４０毎に、参加者４０による撮影によって得られた画像データの画像が対象の画像と一致した回数を計測する。そして、成績算出部１２は、ステップＢ３において、チーム毎に、チームの成績として、チームに属する参加者が撮影した画像が対象の画像と一致した回数の合計値を算出する。
【００７７】
このように、本変形例５では、参加者４０が予め設定された対象を撮影することで、チームの成績が算出されるので、参加者４０は、できるだけ撮影を行おうとする。そして、撮影対象が、イベントが開催されている地域の観光名所であったり、特産品であったりすると、参加者４０は、イベントに参加しながら、イベントが開催されている地域の魅力を楽しむこともできる。また、参加者４０が、その地域の魅力を楽しむことにより、その地域への再訪が期待され、地域の活性化が促進される。
【００７８】
（物理構成）
ここで、本実施の形態におけるプログラムを実行することによって、イベント活性化装置を実現するコンピュータについて図１１を用いて説明する。図１１は、本発明の実施の形態におけるイベント活性化装置を実現するコンピュータの一例を示すブロック図である。
【００７９】
図１１に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。なお、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていても良い。
【００８０】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００８１】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００８２】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００８３】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact DiskRead Only Memory）などの光学記録媒体が挙げられる。
【００８４】
なお、本実施の形態における映像符号化装置は、プログラムがインストールされたコンピュータではなく、各部に対応したハードウェアを用いることによっても実現可能である。更に、映像符号化装置は、一部がプログラムで実現され、残りの部分がハードウェアで実現されていてもよい。
【００８５】
上述した実施の形態の一部又は全部は、以下に記載する（付記１）〜（付記２１）によって表現することができるが、以下の記載に限定されるものではない。
【００８６】
（付記１）
個人競技で構成されたイベントの活性化を図るための装置であって、
前記イベントに参加する複数の参加者それぞれを、複数のチームに分ける、チーム設定部と、
前記イベントの開催中及び終了後において、前記複数の参加者それぞれの状況に基づいて、前記複数のチームそれぞれ毎に成績を算出する、成績算出部と、
算出された前記複数のチームそれぞれ毎の成績を提示する、成績提示部と、
を備えている、
ことを特徴とするイベント活性化装置。
【００８７】
（付記２）
前記チーム設定部が、前記複数の参加者それぞれから取得した当該参加者の情報に基づいて、前記複数の参加者それぞれを複数のチームに分ける、
付記１に記載のイベント活性化装置。
【００８８】
（付記３）
前記チーム設定部が、前記イベントの開始後に、前記複数の参加者それぞれの状況に基づいて、前記複数の参加者それぞれを複数のチームに分ける、
付記１に記載のイベント活性化装置。
【００８９】
（付記４）
前記チーム設定部が、前記複数の参加者それぞれの服装の色を特定する情報を取得し、取得した情報から、前記複数の参加者それぞれの服装の色を特定し、特定した服装の色に基づいて、前記複数の参加者それぞれを複数のチームに分ける、
付記１に記載のイベント活性化装置。
【００９０】
（付記５）
前記成績算出部が、前記複数の参加者それぞれの運動能力及び前記個人競技での成績のうちいずれか又は両方を、前記参加者の状況として特定し、前記複数の参加者それぞれ毎に、特定した状況に基づいてスコアを算出し、更に、複数のチーム毎に、当該チームの成績として、当該チームに属する前記参加者の前記スコアの合計値を算出する、
付記１〜４のいずれかに記載のイベント活性化装置。
【００９１】
（付記６）
前記成績算出部が、前記イベントの開催中において前記参加者を撮影して得られた画像の画像データを取得し、
取得した前記画像データ中の画像と、前記複数の参加者それぞれ毎に予め登録されている当該参加者の画像とを比較し、そして、前記複数の参加者それぞれの状況として、前記複数の参加者それぞれ毎に、当該参加者の画像が、取得した前記画像データ中の画像と一致した回数を計測し、
更に、複数のチーム毎に、当該チームの成績として、当該チームに属する前記参加者の前記一致した回数の合計値を算出する、
付記１〜４のいずれかに記載のイベント活性化装置。
【００９２】
（付記７）
前記成績算出部が、前記複数の参加者それぞれによって、前記イベントの開催中に、撮影して得られた画像の画像データを取得し、
取得した前記画像データ中の画像と、予め設定された対象の画像とを比較し、そして、前記複数の参加者それぞれの状況として、前記複数の参加者それぞれ毎に、当該参加者による撮影によって得られた前記画像データの画像が前記対象の画像と一致した回数を計測し、
更に、複数のチーム毎に、当該チームの成績として、当該チームに属する前記参加者の前記一致した回数の合計値を算出する、
付記１〜４のいずれかに記載のイベント活性化装置。
【００９３】
（付記８）
個人競技で構成されたイベントの活性化を図るための方法であって、
（ａ）前記イベントに参加する複数の参加者それぞれを、複数のチームに分ける、ステップと、
（ｂ）前記イベントの開催中及び終了後において、前記複数の参加者それぞれの状況に基づいて、前記複数のチームそれぞれ毎に成績を算出する、ステップと、
（ｃ）算出された前記複数のチームそれぞれ毎の成績を提示する、ステップと、
を有する、ことを特徴とするイベント活性化方法。
【００９４】
（付記９）
前記（ａ）のステップにおいて、前記複数の参加者それぞれから取得した当該参加者の情報に基づいて、前記複数の参加者それぞれを複数のチームに分ける、
付記８に記載のイベント活性化方法。
【００９５】
（付記１０）
前記（ａ）のステップにおいて、前記イベントの開始後に、前記複数の参加者それぞれの状況に基づいて、前記複数の参加者それぞれを複数のチームに分ける、
付記８に記載のイベント活性化方法。
【００９６】
（付記１１）
前記（ａ）のステップにおいて、前記複数の参加者それぞれの服装の色を特定する情報を取得し、取得した情報から、前記複数の参加者それぞれの服装の色を特定し、特定した服装の入りに基づいて、前記複数の参加者それぞれを複数のチームに分ける、
付記８に記載のイベント活性化方法。
【００９７】
（付記１２）
前記（ｂ）のステップにおいて、前記複数の参加者それぞれの運動能力及び前記個人競技での成績のうちいずれか又は両方を、前記参加者の状況として特定し、前記複数の参加者それぞれ毎に、特定した状況に基づいてスコアを算出し、更に、複数のチーム毎に、当該チームの成績として、当該チームに属する前記参加者の前記スコアの合計値を算出する、
付記８〜１１のいずれかに記載のイベント活性化方法。
【００９８】
（付記１３）
前記（ｂ）のステップにおいて、前記イベントの開催中において前記参加者を撮影して得られた画像の画像データを取得し、
取得した前記画像データ中の画像と、前記複数の参加者それぞれ毎に予め登録されている当該参加者の画像とを比較し、そして、前記複数の参加者それぞれの状況として、前記複数の参加者それぞれ毎に、当該参加者の画像が、取得した前記画像データ中の画像と一致した回数を計測し、
更に、複数のチーム毎に、当該チームの成績として、当該チームに属する前記参加者の前記一致した回数の合計値を算出する、
付記８〜１１のいずれかに記載のイベント活性化方法。
【００９９】
（付記１４）
前記（ｂ）のステップにおいて、前記複数の参加者それぞれによって、前記イベントの開催中に、撮影して得られた画像の画像データを取得し、
取得した前記画像データ中の画像と、予め設定された対象の画像とを比較し、そして、前記複数の参加者それぞれの状況として、前記複数の参加者それぞれ毎に、当該参加者による撮影によって得られた前記画像データの画像が前記対象の画像と一致した回数を計測し、
更に、複数のチーム毎に、当該チームの成績として、当該チームに属する前記参加者の前記一致した回数の合計値を算出する、
付記８〜１１のいずれかに記載のイベント活性化方法。
【０１００】
（付記１５）
コンピュータに、個人競技で構成されたイベントの活性化を図るための、プログラムを記録したコンピュータ読み取り可能な記録媒体であって、
（ａ）前記イベントに参加する複数の参加者それぞれを、複数のチームに分ける、ステップと、
（ｂ）前記イベントの開催中及び終了後において、前記複数の参加者それぞれの状況に基づいて、前記複数のチームそれぞれ毎に成績を算出する、ステップと、
（ｃ）算出された前記複数のチームそれぞれ毎の成績を提示する、ステップと、
を実行させる命令を含む、プログラムを記録しているコンピュータ読み取り可能な記録媒体。
【０１０１】
（付記１６）
前記（ａ）のステップにおいて、前記複数の参加者それぞれから取得した当該参加者の情報に基づいて、前記複数の参加者それぞれを複数のチームに分ける、
付記１５に記載のコンピュータ読み取り可能な記録媒体。
【０１０２】
（付記１７）
前記（ａ）のステップにおいて、前記イベントの開始後に、前記複数の参加者それぞれの状況に基づいて、前記複数の参加者それぞれを複数のチームに分ける、
付記１５に記載のコンピュータ読み取り可能な記録媒体。
【０１０３】
（付記１８）
前記（ａ）のステップにおいて、前記複数の参加者それぞれの服装の色を特定する情報を取得し、取得した情報から、前記複数の参加者それぞれの服装の色を特定し、特定した服装の色に基づいて、前記複数の参加者それぞれを複数のチームに分ける、
付記１５に記載のコンピュータ読み取り可能な記録媒体。
【０１０４】
（付記１９）
前記（ｂ）のステップにおいて、前記複数の参加者それぞれの運動能力及び前記個人競技での成績のうちいずれか又は両方を、前記参加者の状況として特定し、前記複数の参加者それぞれ毎に、特定した状況に基づいてスコアを算出し、更に、複数のチーム毎に、当該チームの成績として、当該チームに属する前記参加者の前記スコアの合計値を算出する、
付記１５〜１８のいずれかに記載のコンピュータ読み取り可能な記録媒体。
【０１０５】
（付記２０）
前記（ｂ）のステップにおいて、前記イベントの開催中において前記参加者を撮影して得られた画像の画像データを取得し、
取得した前記画像データ中の画像と、前記複数の参加者それぞれ毎に予め登録されている当該参加者の画像とを比較し、そして、前記複数の参加者それぞれの状況として、前記複数の参加者それぞれ毎に、当該参加者の画像が、取得した前記画像データ中の画像と一致した回数を計測し、
更に、複数のチーム毎に、当該チームの成績として、当該チームに属する前記参加者の前記一致した回数の合計値を算出する、
付記１５〜１８のいずれかに記載のコンピュータ読み取り可能な記録媒体。
【０１０６】
（付記２１）
前記（ｂ）のステップにおいて、前記複数の参加者それぞれによって、前記イベントの開催中に、撮像して得られた画像の画像データを取得し、
取得した前記画像データ中の画像と、予め設定された対象の画像とを比較し、そして、前記複数の参加者それぞれの状況として、前記複数の参加者それぞれ毎に、当該参加者による撮影によって得られた前記画像データの画像が前記対象の画像と一致した回数を計測し、
更に、複数のチーム毎に、当該チームの成績として、当該チームに属する前記参加者の前記一致した回数の合計値を算出する、
付記１５〜１８のいずれかに記載のコンピュータ読み取り可能な記録媒体。
【０１０７】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【０１０８】
以上のように、本発明によれば、イベントを活性化することができる。本発明は、イベントによる地域活性化の分野に有用である。
【符号の説明】
【０１０９】
１０    イベント活性化装置
１１    チーム設定部
１２    成績算出部
１３    成績提示部
１４    自己申告情報
２０    検出装置
２１    アンテナ
２２    ＩＣチップ
３０    ディスプレイ
４０    参加者
５０    情報端末
６０    ネットワーク
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2019111361.tif 000003
【図２】
2019111361.tif 000004
【図３】
2019111361.tif 000005
【図４】
2019111361.tif 000006
【図５】
2019111361.tif 000007
【図６】
2019111361.tif 000008
【図７】
2019111361.tif 000009
【図８】
2019111361.tif 000010
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
個人競技で構成されたイベントの活性化を図るための装置であって、
前記イベントに参加する複数の参加者それぞれを、複数のチームに分ける、チーム設定部と、
前記イベントの開催中及び終了後において、前記複数の参加者それぞれの状況に基づいて、前記複数のチームそれぞれ毎に成績を算出する、成績算出部と、
算出された前記複数のチームそれぞれ毎の成績を提示する、成績提示部と、
を備えている、
ことを特徴とするイベント活性化装置。
【請求項２】
前記チーム設定部が、前記複数の参加者それぞれから取得した当該参加者の情報に基づいて、前記複数の参加者それぞれを複数のチームに分ける、
請求項１に記載のイベント活性化装置。
【請求項３】
前記チーム設定部が、前記イベントの開始後に、前記複数の参加者それぞれの状況に基づいて、前記複数の参加者それぞれを複数のチームに分ける、
請求項１に記載のイベント活性化装置。
【請求項４】
前記チーム設定部が、前記複数の参加者それぞれの服装の色を特定する情報を取得し、取得した情報から、前記複数の参加者それぞれの服装の色を特定し、特定した服装の色に基づいて、前記複数の参加者それぞれを複数のチームに分ける、
請求項１に記載のイベント活性化装置。
【請求項５】
前記成績算出部が、前記複数の参加者それぞれの運動能力及び前記個人競技での成績のうちいずれか又は両方を、前記参加者の状況として特定し、前記複数の参加者それぞれ毎に、特定した状況に基づいてスコアを算出し、更に、複数のチーム毎に、当該チームの成績として、当該チームに属する前記参加者の前記スコアの合計値を算出する、
請求項１〜４のいずれかに記載のイベント活性化装置。
【請求項６】
前記成績算出部が、前記イベントの開催中において前記参加者を撮影して得られた画像の画像データを取得し、
取得した前記画像データ中の画像と、前記複数の参加者それぞれ毎に予め登録されている当該参加者の画像とを比較し、そして、前記複数の参加者それぞれの状況として、前記複数の参加者それぞれ毎に、当該参加者の画像が、取得した前記画像データ中の画像と一致した回数を計測し、
更に、複数のチーム毎に、当該チームの成績として、当該チームに属する前記参加者の前記一致した回数の合計値を算出する、
請求項１〜４のいずれかに記載のイベント活性化装置。
【請求項７】
前記成績算出部が、前記複数の参加者それぞれによって、前記イベントの開催中に、撮影して得られた画像データを取得し、
取得した前記画像データ中の画像と、予め設定された対象の画像とを比較し、そして、前記複数の参加者それぞれの状況として、前記複数の参加者それぞれ毎に、当該参加者による撮影によって得られた前記画像データの画像が前記対象の画像と一致した回数を計測し、
更に、複数のチーム毎に、当該チームの成績として、当該チームに属する前記参加者の前記一致した回数の合計値を算出する、
請求項１〜４のいずれかに記載のイベント活性化装置。
【請求項８】
個人競技で構成されたイベントの活性化を図るための方法であって、
（ａ）前記イベントに参加する複数の参加者それぞれを、複数のチームに分ける、ステップと、
（ｂ）前記イベントの開催中及び終了後において、前記複数の参加者それぞれの状況に基づいて、前記複数のチームそれぞれ毎に成績を算出する、ステップと、
（ｃ）算出された前記複数のチームそれぞれ毎の成績を提示する、ステップと、
を有する、ことを特徴とするイベント活性化方法。
【請求項９】
前記（ａ）のステップにおいて、前記複数の参加者それぞれから取得した当該参加者の情報に基づいて、前記複数の参加者それぞれを複数のチームに分ける、
請求項８に記載のイベント活性化方法。
【請求項１０】
前記（ａ）のステップにおいて、前記イベントの開始後に、前記複数の参加者それぞれの状況に基づいて、前記複数の参加者それぞれを複数のチームに分ける、
請求項８に記載のイベント活性化方法。
【請求項１１】
前記（ａ）のステップにおいて、前記複数の参加者それぞれの服装の色を特定する情報を取得し、取得した情報から、前記複数の参加者それぞれの服装の色を特定し、特定した服装の入りに基づいて、前記複数の参加者それぞれを複数のチームに分ける、
請求項８に記載のイベント活性化方法。
【請求項１２】
前記（ｂ）のステップにおいて、前記複数の参加者それぞれの運動能力及び前記個人競技での成績のうちいずれか又は両方を、前記参加者の状況として特定し、前記複数の参加者それぞれ毎に、特定した状況に基づいてスコアを算出し、更に、複数のチーム毎に、当該チームの成績として、当該チームに属する前記参加者の前記スコアの合計値を算出する、
請求項８〜１１のいずれかに記載のイベント活性化方法。
【請求項１３】
前記（ｂ）のステップにおいて、前記イベントの開催中において前記参加者を撮影して得られた画像の画像データを取得し、
取得した前記画像データ中の画像と、前記複数の参加者それぞれ毎に予め登録されている当該参加者の画像とを比較し、そして、前記複数の参加者それぞれの状況として、前記複数の参加者それぞれ毎に、当該参加者の画像が、取得した前記画像データ中の画像と一致した回数を計測し、
更に、複数のチーム毎に、当該チームの成績として、当該チームに属する前記参加者の前記一致した回数の合計値を算出する、
請求項８〜１１のいずれかに記載のイベント活性化方法。
【請求項１４】
前記（ｂ）のステップにおいて、前記複数の参加者それぞれによって、前記イベントの開催中に、撮影して得られた画像の画像データを取得し、
取得した前記画像データ中の画像と、予め設定された対象の画像とを比較し、そして、前記複数の参加者それぞれの状況として、前記複数の参加者それぞれ毎に、当該参加者による撮影によって得られた前記画像データの画像が前記対象の画像と一致した回数を計測し、
更に、複数のチーム毎に、当該チームの成績として、当該チームに属する前記参加者の前記一致した回数の合計値を算出する、
請求項８〜１１のいずれかに記載のイベント活性化方法。
【請求項１５】
コンピュータに、個人競技で構成されたイベントの活性化を図るための、プログラムであって、
（ａ）前記イベントに参加する複数の参加者それぞれを、複数のチームに分ける、ステップと、
（ｂ）前記イベントの開催中及び終了後において、前記複数の参加者それぞれの状況に基づいて、前記複数のチームそれぞれ毎に成績を算出する、ステップと、
（ｃ）算出された前記複数のチームそれぞれ毎の成績を提示する、ステップと、
を実行させる、プログラム。
【請求項１６】
前記（ａ）のステップにおいて、前記複数の参加者それぞれから取得した当該参加者の情報に基づいて、前記複数の参加者それぞれを複数のチームに分ける、
請求項１５に記載のプログラム。
【請求項１７】
前記（ａ）のステップにおいて、前記イベントの開始後に、前記複数の参加者それぞれの状況に基づいて、前記複数の参加者それぞれを複数のチームに分ける、
請求項１５に記載のプログラム。
【請求項１８】
前記（ａ）のステップにおいて、前記複数の参加者それぞれの服装の色を特定する情報を取得し、取得した情報から、前記複数の参加者それぞれの服装の色を特定し、特定した服装の色に基づいて、前記複数の参加者それぞれを複数のチームに分ける、
請求項１５に記載のプログラム。
【請求項１９】
前記（ｂ）のステップにおいて、前記複数の参加者それぞれの運動能力及び前記個人競技での成績のうちいずれか又は両方を、前記参加者の状況として特定し、前記複数の参加者それぞれ毎に、特定した状況に基づいてスコアを算出し、更に、複数のチーム毎に、当該チームの成績として、当該チームに属する前記参加者の前記スコアの合計値を算出する、
請求項１５〜１８のいずれかに記載のプログラム。
【請求項２０】
前記（ｂ）のステップにおいて、前記イベントの開催中において前記参加者を撮影して得られた画像の画像データを取得し、
取得した前記画像データ中の画像と、前記複数の参加者それぞれ毎に予め登録されている当該参加者の画像とを比較し、そして、前記複数の参加者それぞれの状況として、前記複数の参加者それぞれ毎に、当該参加者の画像が、取得した前記画像データ中の画像と一致した回数を計測し、
更に、複数のチーム毎に、当該チームの成績として、当該チームに属する前記参加者の前記一致した回数の合計値を算出する、
請求項１５〜１８のいずれかに記載のプログラム。
【請求項２１】
前記（ｂ）のステップにおいて、前記複数の参加者それぞれによって、前記イベントの開催中に、撮像して得られた画像の画像データを取得し、
取得した前記画像データ中の画像と、予め設定された対象の画像とを比較し、そして、前記複数の参加者それぞれの状況として、前記複数の参加者それぞれ毎に、当該参加者による撮影によって得られた前記画像データの画像が前記対象の画像と一致した回数を計測し、
更に、複数のチーム毎に、当該チームの成績として、当該チームに属する前記参加者の前記一致した回数の合計値を算出する、
請求項１５〜１８のいずれかに記載のプログラム。 
【手続補正３】
【補正対象書類名】明細書
【補正対象項目名】０００１
【補正方法】変更
【補正の内容】
【０００１】
本発明は、イベント活性化装置及びイベント活性化方法に関し、更には、これらを実現するためのプログラムに関する。
【手続補正４】
【補正対象書類名】明細書
【補正対象項目名】０００７
【補正方法】変更
【補正の内容】
【０００７】
本発明の目的の一例は、上記問題を解消し、個人競技のイベントにおいて、各参加者にチームとしての連帯感及び責任感を保たせて、イベントの活性化を図り得る、イベント活性化装置、イベント活性化方法、及びプログラムを提供することにある。
【手続補正５】
【補正対象書類名】明細書
【補正対象項目名】００１０
【補正方法】変更
【補正の内容】
【００１０】
更に、上記目的を達成するため、本発明の一側面におけるプログラムは、コンピュータによって、
個人競技で構成されたイベントの活性化を図るためのプログラムであって、
（ａ）前記イベントに参加する複数の参加者それぞれを、複数のチームに分ける、ステップと、
（ｂ）前記イベントの開催中及び終了後において、前記複数の参加者それぞれの状況に基づいて、前記複数のチームそれぞれ毎に成績を算出する、ステップと、
（ｃ）算出された前記複数のチームそれぞれ毎の成績を提示する、ステップと、
を実行させる、ことを特徴とする。
【手続補正６】
【補正対象書類名】明細書
【補正対象項目名】０１００
【補正方法】変更
【補正の内容】
【０１００】
（付記１５）
コンピュータに、個人競技で構成されたイベントの活性化を図るための、プログラムであって、
（ａ）前記イベントに参加する複数の参加者それぞれを、複数のチームに分ける、ステップと、
（ｂ）前記イベントの開催中及び終了後において、前記複数の参加者それぞれの状況に基づいて、前記複数のチームそれぞれ毎に成績を算出する、ステップと、
（ｃ）算出された前記複数のチームそれぞれ毎の成績を提示する、ステップと、
を実行させる、プログラム。
【手続補正７】
【補正対象書類名】明細書
【補正対象項目名】０１０１
【補正方法】変更
【補正の内容】
【０１０１】
（付記１６）
前記（ａ）のステップにおいて、前記複数の参加者それぞれから取得した当該参加者の情報に基づいて、前記複数の参加者それぞれを複数のチームに分ける、
付記１５に記載のプログラム。
【手続補正８】
【補正対象書類名】明細書
【補正対象項目名】０１０２
【補正方法】変更
【補正の内容】
【０１０２】
（付記１７）
前記（ａ）のステップにおいて、前記イベントの開始後に、前記複数の参加者それぞれの状況に基づいて、前記複数の参加者それぞれを複数のチームに分ける、
付記１５に記載のプログラム。
【手続補正９】
【補正対象書類名】明細書
【補正対象項目名】０１０３
【補正方法】変更
【補正の内容】
【０１０３】
（付記１８）
前記（ａ）のステップにおいて、前記複数の参加者それぞれの服装の色を特定する情報を取得し、取得した情報から、前記複数の参加者それぞれの服装の色を特定し、特定した服装の色に基づいて、前記複数の参加者それぞれを複数のチームに分ける、
付記１５に記載のプログラム。
【手続補正１０】
【補正対象書類名】明細書
【補正対象項目名】０１０４
【補正方法】変更
【補正の内容】
【０１０４】
（付記１９）
前記（ｂ）のステップにおいて、前記複数の参加者それぞれの運動能力及び前記個人競技での成績のうちいずれか又は両方を、前記参加者の状況として特定し、前記複数の参加者それぞれ毎に、特定した状況に基づいてスコアを算出し、更に、複数のチーム毎に、当該チームの成績として、当該チームに属する前記参加者の前記スコアの合計値を算出する、
付記１５〜１８のいずれかに記載のプログラム。
【手続補正１１】
【補正対象書類名】明細書
【補正対象項目名】０１０５
【補正方法】変更
【補正の内容】
【０１０５】
（付記２０）
前記（ｂ）のステップにおいて、前記イベントの開催中において前記参加者を撮影して得られた画像の画像データを取得し、
取得した前記画像データ中の画像と、前記複数の参加者それぞれ毎に予め登録されている当該参加者の画像とを比較し、そして、前記複数の参加者それぞれの状況として、前記複数の参加者それぞれ毎に、当該参加者の画像が、取得した前記画像データ中の画像と一致した回数を計測し、
更に、複数のチーム毎に、当該チームの成績として、当該チームに属する前記参加者の前記一致した回数の合計値を算出する、
付記１５〜１８のいずれかに記載のプログラム。
【手続補正１２】
【補正対象書類名】明細書
【補正対象項目名】０１０６
【補正方法】変更
【補正の内容】
【０１０６】
（付記２１）
前記（ｂ）のステップにおいて、前記複数の参加者それぞれによって、前記イベントの開催中に、撮像して得られた画像の画像データを取得し、
取得した前記画像データ中の画像と、予め設定された対象の画像とを比較し、そして、前記複数の参加者それぞれの状況として、前記複数の参加者それぞれ毎に、当該参加者による撮影によって得られた前記画像データの画像が前記対象の画像と一致した回数を計測し、
更に、複数のチーム毎に、当該チームの成績として、当該チームに属する前記参加者の前記一致した回数の合計値を算出する、
付記１５〜１８のいずれかに記載のプログラム。
【国際調査報告】
2019111361.tif 000011
2019111361.tif 000012
2019111361.tif 000013
2019111361.tif 000014